(57)【要約】  【課題】ランニングコストの低い越前クラゲの駆除装置、並びに、越前クラゲの有効活用を図れるシステムを提供すること。  【構成】海流に乗って遊泳してくる巨大クラゲを集めるガイド網と、前記ガイド網により集められた巨大クラゲを細断装置の入口に誘導する誘導網とを具備し、前記細断装置は回転体の外周部に巨大クラゲを切断する刃を設けた回転装置と、海流の流れエネルギーを利用して該回転体を回転駆動する水車とから構成される。【選択図】    図１
2010161932.tif 000002
【特許請求の範囲】
【請求項１】
海流に乗って遊泳してくる巨大クラゲを集めるガイド網と、前記ガイド網により集められた巨大クラゲを細断装置の入口に誘導する誘導網と、該巨大クラゲを細断する細断装置とを具備し、前記細断装置は回転体に巨大クラゲを切断する刃を設けた回転刃と、海流の流れエネルギーを利用して該回転刃を回転駆動する水車とから構成されることを特徴とする巨大クラゲ細断システム。
【請求項２】
前記回転刃は、同一半径の回転円筒面上に１又は複数枚の刃の刃先を回転方向に向けて配置し、前記刃の両端を２枚の側板で固定したことを特徴とする請求項１に記載の巨大クラゲ細断システム。
【請求項３】
前記回転刃は、１又は複数枚の刃の刃先を同一回転方向に向けて、前記刃を回転軸の半径方向に刃を配置した組を更に軸方向にも並べて配置し、該回転軸に固定したことを特徴とする請求項１に記載の巨大クラゲ細断システム。
【請求項４】
前記細断装置は、前記回転刃を水平軸の回りに回転可能に支持し、上流側の刃先が下向きに回転するように構成したことを特徴とする請求項１〜請求項３の何れか１に記載の巨大クラゲ細断システム。
【請求項５】
前記細断装置は、１対の前記回転刃で構成し、前記各回転刃は垂直軸の回りに回転可能に支持し、前記各回転刃の刃先は相互に逆向き方向に回転し、上流側の刃先が内向き方向に回転するように構成したことを特徴とする請求項１〜請求項３の何れか１に記載の巨大クラゲ細断システム。
【請求項６】
前記細断装置は、前記回転刃の回転方向と同じ向きに回転駆動力が生じるように前記水車を設けたことを特徴とする請求項１〜請求項５の何れか１に記載の巨大クラゲ細断システム。
【請求項７】
前記水車はサボニウス型水車、パドル型水車又は風杯型水車で構成したことを特徴とする請求項１〜請求項６の何れか１に記載の巨大クラゲ細断システム。
【請求項８】
前記細断装置は、前記回転刃の外周速度を毎秒０．５〜３．０メートルの速度としたことを特徴とする請求項１〜請求項７の何れか１に記載の巨大クラゲ細断システム。
【請求項９】
前記細断装置は海面からの深さが５〜３０メートルの位置で水平に固定したことを特徴とする請求項１〜請求項８の何れか１に記載の巨大クラゲ細断システム。
【請求項１０】
前記ガイド網は、浮き子、沈み子及びロープ等の固定手段によって海中に固定したことを特徴とする請求項１〜請求項９の何れか１に記載の巨大クラゲ細断システム。
【請求項１１】
前記細断装置の下流側に魚礁を設けて、該魚礁に集まった魚に、請求項１〜請求項９の何れか１に記載の巨大クラゲ細断システムを利用した巨大クラゲの細片を餌として供給することを特徴とする魚礁システム。
【請求項１２】
前記細断装置の下流側にネットを設けて、該ネットの下流に巨大クラゲの細片が拡散するのを防止して、該ネットの下流に敷設された定置網の中に巨大クラゲ並びに前記巨大クラゲの細片が入網するのを防止したことを特徴とする請求項１〜請求項９の何れか１に記載の巨大クラゲ細断システムを利用した定置網。
【請求項１３】
請求項１〜請求項９の何れか１に記載の巨大クラゲ細断システムを利用して細断した巨大クラゲの細片を蟹の生息する海底に供給する給餌システムにおいて、前記給餌システムは前記巨大クラゲの細片を容れる容器と、前記細断装置の放出口又は該放出口に接続された接続ホースの開放口と該容器の開口とを接続・分離自在な接続手段と、該容器を海中の所定の位置、所定の水深の場所に運搬する運搬手段と、該容器中の巨大クラゲの細片を蟹の生息領域に向けて放出する放出手段を具備したことを特徴とする給餌システム。
【請求項１４】
前記蟹の生息領域は、成長した雌ガニの生息域としたことを特徴とする請求項１３に記載の給餌システム。
【発明の詳細な説明】
【技術分野】
【０００１】
この発明は、越前クラゲ等の巨大クラゲを細断するシステム並びに細断した巨大クラゲの細片を海底に住む蟹に餌として供給するシステム等に関するものである。
【背景技術】
【０００２】
近年、我が国の沿岸では、巨大なクラゲの大量出現が問題となっている。この巨大クラゲは越前クラゲと呼ばれ、傘の直径がおよそ１ｍ〜２ｍと巨大で、重さも最大１５０ｋｇにもなります。越前クラゲは、２００２年、２００３年と２年連続して大発生し、日本沿岸、津軽海峡沿岸、三陸沿岸から房総沿岸にかけて漁業に深刻な被害を与えている。被害を受けた漁業種類としては、定置網、刺し網、底引き網などであり、特に定置網の被害が甚大であった。それ以後も毎年連続してではないが、日本近海に大量に来遊してきて被害を与えている。
越前クラゲの発生、回遊の詳細については現在も定かではない。一説では、前年の１０〜１２月に東シナ海で発生し、対馬暖流に乗り急激に成長しながら日本海に出現すると言われている。日本海に漂着した越前クラゲは８月頃に島根県〜福井県沖に出現し、９月には山口県〜青森県まで広く分布し、１０月には津軽海峡を抜け、三陸沿岸まで広く分布し、１２月には房総沿岸まで達しています。
【０００３】
このように広い地域に渡って、大量に回遊し、甚大な被害を起こしている越前クラゲに対して被害をなくす方法がこれまでにいくつか提案されてきました。従来のクラゲによる被害を食い止める為の方法及び装置は、主に小さいクラゲに対する方法や装置であり、越前クラゲの様な巨大クラゲ（以下、単に越前クラゲという。）に対する提案は数多くありません。これは越前クラゲが日本近海に大量に出現するようになったのは最近だからです。なお、小さいクラゲに対する従来方法は、そのままでは越前クラゲに適用することは困難です。それは、越前クラゲが従来の小さなクラゲに比べて格段に大きく、大量に来遊するからです。以下に越前クラゲの排除又は殺傷する従来方法（又は装置）について述べます。従来方法には定置網等の網の中に越前クラゲの入網を阻止する方法、入網した越前クラゲを網の外に逃がす方法、越前クラゲを駆除（殺傷して駆除）する方法があります。前の２つの方法は相当数の提案がありますが、直接本願発明との関連性が少ないので、最後の越前クラゲを駆除する従来方法について説明致します。
【０００４】
まず、従来方法１としては、非特許文献１に記載されているように、越前クラゲが遊泳している海域で筒状の網を２槽の船で曳いて廻る方法です。筒状の網は入り口の開口が大きく奥に行くにつれて細くなり、一番奥に格子状のワイヤが張ってあって、網の中に入った越前クラゲがバラバラに切り刻まれる仕組みになっています。網の長さは２５ｍで、速度を３ノット（約５．６ｋｍ／時間）以上で曳いた試験で良好な結果が得られたという報告があります。
【非特許文献１】独立行政法人・水産総合試験センターのレポートまた、従来方法２として、例えば、定置網に入ったクラゲを切断して駆除する方法です。具体的には、約２メートル四方の枠内にステンレス製のカッターを格子状に取り付けてある器具を定置網の近くの海上に浮かべて設置し、定置網に入った越前クラゲを器具の上に落として越前クラゲを切断し、駆除する方法が提案されています。
【非特許文献２】福井県水産試験場のレポート
【０００５】
しかし、越前クラゲが日本近海を回遊する時期は９月から１２月頃までであり、定置網は８月末から翌年の１月末まで操業しており、被害を受ける期間は長期間であります。しかも、日本近海に来遊してくる越前クラゲの数は１億匹とも言われており、これを駆除するには莫大な労力とコストが必要であり、課題であります。また、従来方法１及び従来方法２は越前クラゲを駆除するだけで、越前クラゲの有効利用を図っておりません。従って、要した労力とコストは駆除の目的のためにのみ費やされます。なお、日本近海には巨大クラゲとしては越前クラゲの他にミズクラゲがおります。ミズクラゲは傘の直径が通常は１５ｃｍ位ですが、中には５０ｃｍ以上のミズクラゲもおります。ミズクラゲは発電所の海水取り入口に大量に吸い寄せられ、被害を与えています。
【発明の開示】
【発明が解決しようとする課題】
【０００６】
本願発明はこのような状況下でなされたものであり、定置網が張られた近海に回遊してきた越前クラゲの駆除を目的とし、ランニングコストの低い駆除装置を提案すること、並びに、越前クラゲの有効活用を図れるシステムを提供することを課題としています。
【課題を解決するための手段】
【０００７】
本願発明は、上記課題を解決するために以下の構成を採用している。即ち、
請求項１に記載の発明は、海流に乗って遊泳してくる巨大クラゲを集めるガイド網と、前記ガイド網により集められた巨大クラゲを細断装置の入口に誘導する誘導網と、該巨大クラゲを細断する細断装置とを具備し、前記細断装置は回転体に巨大クラゲを切断する刃を設けた回転刃と、海流の流れエネルギーを利用して該回転刃を回転駆動する水車とから構成されることを特徴としている。
【０００８】
請求項２に記載の発明は、請求項１に記載の発明において、前記回転刃は、同一半径の回転円筒面上に１又は複数枚の刃の刃先を回転方向に向けて配置し、前記刃の両端を２枚の側板で固定したことを特徴としている。
【０００９】
請求項３に記載の発明は、請求項１に記載の発明において、前記回転刃は、１又は複数枚の刃の刃先を同一回転方向に向けて、前記刃を回転軸の半径方向に刃を配置した組を更に軸方向にも並べて配置し、該回転軸に固定したことを特徴としている。
【００１０】
請求項４に記載の発明は、請求項１〜請求項３の何れか１に記載の発明において、前記細断装置は、前記回転刃を水平軸の回りに回転可能に支持し、上流側の刃先が下向きに回転するように構成したことを特徴としている。
【００１１】
請求項５に記載の発明は、請求項１〜請求項３の何れか１に記載の発明において、前記細断装置は、１対の前記回転刃で構成し、前記各回転刃は垂直軸の回りに回転可能に支持し、前記各回転刃の刃先は相互に逆向き方向に回転し、上流側の刃先が内向き方向に回転するように構成したことを特徴としている。
【００１２】
請求項６に記載の発明は、請求項１〜請求項５の何れか１に記載の発明において、前記細断装置は、前記刃先の回転方向と同じ向きに回転駆動力が生じるように前記水車を設けたことを特徴としている。
【００１３】
請求項７に記載の発明は、請求項１〜請求項６の何れか１に記載の発明において、前記水車はサボニウス型水車、パドル型水車又は風杯型水車で構成したことを特徴としている。
【００１４】
請求項８に記載の発明は、請求項１〜請求項７の何れか１に記載の発明において、前記細断装置は、前記回転体の外周速度を毎秒０．５〜３．０メートルの速度としたことを特徴としている。
【００１５】
請求項９に記載の発明は、請求項１〜請求項８の何れか１に記載の発明において、前記細断装置は海面からの深さが５〜３０メートルの水深で水平に固定したことを特徴としている。
【００１６】
請求項１０に記載の発明は、請求項１〜請求項９の何れか１に記載の発明において、前記ガイド網は、浮き子、沈み子及びロープ等の固定手段によって海中に固定したことを特徴としている。
【００１７】
請求項１１に記載の発明は、前記細断装置の下流側に魚礁を設けて、該魚礁に集まった魚に、請求項１〜請求項９の何れか１に記載の巨大クラゲ細断システムを利用した巨大クラゲの細片を餌として供給することを特徴としている。
【００１８】
請求項１２に記載の発明は、請求項１〜請求項９の何れか１に記載の巨大クラゲ細断システムを利用して、前記細断装置の下流側にネットを設けて、該ネットの下流に巨大クラゲの細片が拡散するのを防止して、該ネットの下流に敷設された定置網の中に巨大クラゲ並びに前記巨大クラゲの細片が入網するのを防止したことを特徴としている。
【００１９】
請求項１３に記載の発明は、請求項１〜請求項９の何れか１に記載の巨大クラゲ細断システムを利用して細断した巨大クラゲの細片を蟹の生息する海底に供給する給餌システムにおいて、前記給餌システムは前記巨大クラゲの細片を容れる容器と、前記細断装置の放出口又は該放出口に接続された接続ホースの開放口と該容器の開口とを接続・分離自在な接続手段と、該容器を海中の所定の位置、所定の水深の場所に運搬する運搬手段と、該容器中の巨大クラゲの細片を蟹の生息領域に向けて放出する放出手段を具備したことを特徴としている。
【００２０】
請求項１４に記載の発明は、請求項１３に記載の発明において、前記蟹の生息領域は、成長した雌ガニの生息域としたことを特徴としている。
【発明の効果】
【００２１】
本願発明によれば、巨大クラゲ細断システムを敷設すれば、その後に作業を必要としないのでランニングコストが殆ど不要となり、また石油等のエネルギー消費を必要としないのでエコに役立つという効果が得られる。また、巨大クラゲ細断システムは細片を所定の放出口から放出するので他のシステムへの利用が容易になるという効果が得られる。
【発明を実施するための最良の形態】
【００２２】
＜実施形態１＞
図１は本願発明の実施形態１の全体斜視図を示し、図２は全体の上平面図（Ａ）と正面図（Ｂ）を示す。図１，図２において、１１は海中に張られたガイド網で、海流に乗って来遊してくる越前クラゲ等の巨大クラゲ（以下、越前クラゲという）を略中央に寄せ集めるガイド網である。ガイド網１１は海流の流れ方向（図の矢印）と略直角に敷設するのが好ましい。また、海流の流れ方向が変化する場合は平均の最大流れ方向と略直角に敷設するのが好ましい。ガイド網１１の上縁１２はロープ１２ａに浮き子１２ｂを設けて海面に浮かべ、ガイド網１１の下縁１３はロープ１３ａに沈み子１３ｂを設けて海中に固定する。下縁１３の深さは越前クラゲ１０の遊泳深さに合わせて決定する。例えば、正常な越前クラゲの遊泳深さが０〜３０ｍ位であれば、下縁１３の深さは略３０ｍとする。また、上縁１２の左右の両端は固定手段１４によって固定し、海流によってガイド網１１が流されないように堅固に固定する。固定手段１４は、ロープ１４ａ，浮き子１４ｂ及び沈み子１４ｃによって固定する。堅固に固定するために海底から突起している岩などを利用してもよい。
【００２３】
ガイド網１１の略中央には越前クラゲ１０を細断装置２０の入口に誘導する誘導網１６を設ける。誘導網１６は頂部を切断した四角錐状に形成し、切断部を細断装置２０の入口部に接続するように構成する。例えば、誘導網１６の入口部はガイド網１１の上縁のロープ１２ａと下縁のロープ１３ａと共通にするのが望ましい。また、幅は細断装置２０の入口幅の２倍以上にして越前クラゲ１０を円滑に細断装置２０の入口に誘導するように形成するのが望ましい。また、誘導網１６の海流方向の長さは誘導網１６に入網した越前クラゲ１０が逆方向に移動しない角度で、細断装置２０の入口に移動する角度、例えば錐角を略３０度前後とする。なお、ガイド網１１と誘導網１６の網目の大きさはその海域に回遊してくる越前クラゲ１０の大きさ（例えば、傘のサイズ）を考慮して越前クラゲ１０が円滑に細断装置２０の入口に誘導できる網目サイズに決定する。
【００２４】
＜細断装置の実施例１＞
以下に細断装置２０の実施例１について説明する。
図３は細断装置２０の実施例１の全体図を示す。図３（Ａ）は正面図を示し、図３（Ｂ）は下から見た平面図を示し、図３（Ｃ）は側面図を示す。図３において、２１は細断装置２０のカバーである。カバー２１は筒状体で、越前クラゲ１０の入口２２が正面に設けられており、背面下部に越前クラゲ１０の細片を放出する放出口２３が設けられる。入口２２の開口縁は誘導網１６の終端縁に接続されている。カバー２１の内部に回転刃２４が収納され、回転刃２４の両側に接続された軸２５がカバー２１の両側に設けた軸受け２６によって回転自在に支持されている。軸２５（図３（Ａ）参照）の右側には回転駆動装置２７が接続され、軸２５の左側には回転駆動装置２８が接続されている。回転駆動装置２７、２８は同一構造、同一サイズに形成され、同一方向に回転するように構成される。回転は図３（Ｃ）の点線で示すように、入口２２では刃が上から下へ降りて来るように回転する。越前クラゲの傘を先に切断するためである。
【００２５】
図４は回転刃２４の実施例１を示す。図４（Ａ）は全体の斜視図を示し、図４（Ｂ）は正面図、図４（Ｃ）は断面側面図を示す。図４において、実施例１は回転中心Ｏを中心点とした同一半径の円周上に略等間隔（図では１２０度間隔）に刃先を同じ向きに持った３枚の細長い刃２４ａ、２４ｂ、２４ｃが回転中心軸と平行に配置され、両端が２枚の円盤３０，３１に固設されている。円盤３０，３１の外側に回転軸２５、２５が固設され、各回転軸は軸受け２６によって支持される。更に、回転軸２５，２５の外側に回転駆動装置２７，２８が接続されている。なお、回転軸２５は海面と略平行（又は水平）になるようにするのが望ましい。刃２４ａ〜２４ｃは刀の様な丈夫な厚い刃である必要はなく、「かみそり」の様な薄い刃で十分である。越前クラゲの傘は容易に切断可能だからである。但し、回転駆動装置２７，２８の回転速度の偏差による軸の捻れに対する強度が必要である。
【００２６】
図５は回転刃の別の方式（実施例２）を示す。図５（Ａ）は実施例２の方式による回転刃の正面図で、図５（Ｂ）は断面側面図である。この方式では、軸２９に半径方向に３枚の刃３０ａ〜３０ｃが固設されていると共に軸方向に所定の間隔だけ離れた位置で平行に同様な刃３０が設けられている。刃３０ａ〜３０ｃは回転方向（図の左方向）に刃先が設けられている。又刃の３０ａ〜３０ｃの先端には突起が設けられている。これは越前クラゲ１０へのグリップを良くするためである。図５（Ｃ）、図５（Ｄ）は更に別の方式（実施例３）を示す。実施例３の方式は実施例１の方式の刃に実施例２の方式の刃を組み合わせて方式で、回転体の円周方向に刃２４ａ〜２４ｃを設けると共に半径方向に刃３０ａ〜３０ｃを設けている。実施例３の方式は越前クラゲの切取り片を細かくしたい場合に適している。なお、刃の構成はこれまでに述べた方式に限定されない。例えば、これまでに図示した方式では円周方向の刃数を３枚としたが１〜４枚の何れかとしてもよい。また、刃の形状も図の形状に限定されない。
【００２７】
図６は回転駆動装置２７でサボニウス方式の水車を利用した実施例を示す。サボニウス方式は１９２９年フィンランド人サボニウスによって考案された方式で風車としても知られているが、水車としても知られている。サボニウス方式の水車の特徴は、全方向の流れに対して常に１方向に回転すること、起動トルクが大きく低速の流れにおいても自己起動すること、流速の遅い場合の海流や潮流の発電に適している等の特徴がある。本方式の発電効率は２０〜３０％である。以上の特徴から、他の水車方式に比べて本発明の実施形態に採用するのが適している。即ち、本発明の回転刃２４は低速で常時回転することが望ましいからである。図６（Ａ）は正面図、図６（Ｂ）は断面側面図で、図６（Ｃ）は斜視図を示す。サボニウス方式の水車は、図６に示しように、３枚（又は、２〜４枚）の半円弧状の羽根３３ａ〜３３ｃを偏心させて組合せた構成であり、両端を固定板３４ａ、３４ｂで固定し、固定板３４ｂに軸２５を設けた構成である。
【００２８】
細断装置２０では、図４に示すように、回転刃２４の両側に回転駆動装置２７、２８を設けている。回転駆動装置２７と回転駆動装置２８は構成やサイズは全く同じであるが、羽根３３ａ〜３３ｃの向きが逆向きに配置されている。このため、細断装置２０の配置向きが海流の速度や海流の流れ方向の角度によって変化したり、揺れたりするのを防止している。なお、本願発明の回転駆動装置２７（２８）はサボニウス方式を利用したものに限定されるものではなく、風杯形式の水車又はパドル形式の水車を利用したものであってもよい。
【００２９】
実施例１の細断装置２０は入口２２から進入した巨大クラゲは回転刃２４によって切断され、切断された細片はケース２１の背面下側に設けられた開放口から放出される。なお、細断装置２０の回転刃２４（４４）の回転速度は越前クラゲを切断している負荷状態で外周の周速度が毎秒５ｃｍ〜５０ｃｍ程度にするのが望ましい。回転速度が遅すぎると越前クラゲを上手に切断できないし、又逆に速すぎても上手に切断できない。回転刃の周速度は海流の速度、回転駆動装置の出力馬力、負荷状態、即ち越前クラゲの大きさや混み具合等によって異なる。従って、その海域の状況によって具体的な寸法等を設計をする必要がある。
【００３０】
＜細断装置の実施例２＞
図７は細断装置４０の別の実施例（実施例２）を示す。図７（Ａ）は上から見た平面図で、図７（Ｂ）は正面図、図７（Ｃ）は側面図を示す。図８は回転刃４４，４５の詳細図を示す。図８（Ａ）は上から見た平面図、図８（Ｂ）は正面図、図８（Ｃ）は下から見た断面平面図を示す。図７、図８において、ケース４１は断面が略楕円状の筒体で、前面に越前クラゲが進入する入口４２を設け、背面には越前クラゲの細片を放出する放出口４３を設けた構成である。ケース４１の内部には２個の回転刃４４，４５が配置され、垂直軸の回りに回転するように軸支されている。
【００３１】
中心回転軸４８ｃ、４９ｃの上下には各々固定板４８ａ，４８ｂ及び４９ａ、４９ｂが固設され、固定板４８ａ，４８ｂの間に刃４４ａ〜４４ｃが溶接等で固設され、固定板４９ａ，４９ｂの間に刃４５ａ〜４５ｃが固設されている。図８（Ｃ）に示すように、刃４４ａ〜４４ｃの刃先は反時計方向に回転し、刃４５ａ〜４５ｃの刃先は時計方向に回転する様に構成されている。また、ケース４１の上側には駆動装置４６，４７が配置され、中心回転軸４８ｃ、４９ｃに各々連結されている。駆動装置４６，４７の羽根は、刃４４ａ〜４４ｃ、又は刃４５ａ〜４５ｃの回転方向と合致するように形成される。
以上に説明したように、実施例２の細断装置４０では２個の回転刃４４，４５が噛み合う形で回転し、入口４２から進入した巨大クラゲは回転刃４４，４５で細片に切断され、切断された細片が放出口４３から放出される。
【００３２】
以上に説明したことから明らかなように、実施形態１の巨大クラゲ細断システムは一回敷設すれば、長期間にわたって石油や人件費、漁船も不要であり、ランニングコストが安いだけでなく、大量の越前クラゲを除去できるという効果がある。特に越前クラゲが日本近海に来遊してくる期間は長いので、その効果は計り知れない。更に、細断された巨大クラゲの細片は海底のあちこちに散乱することなく、一カ所の解放口２３（４３）から出てくるので、後の処理（始末等）や利用が容易になるという効果がある。
【００３３】
＜実施形態２＞
図９は実施形態１の巨大クラゲの細断装置を利用した実施形態２で、越前クラゲ等の巨大クラゲの細片を餌とする魚の魚礁を海底に創り、その魚礁に細片を供給し、魚を増殖するという利用例を示す全体斜視図です。図９において、細断装置２０（４０）の前方入口２２（４２）には誘導網１６が接続されており、更に誘導網１６の両側にはガイド網１１が接続されている。細断装置２０の放出口２３には越前クラゲの細片を魚礁５０の開口部５１に導くガイドホース５３が接続されている。従って、海流に乗って回遊してきた越前クラゲ等の巨大クラゲ１０はガイド網１１にガイドされて誘導網１６に集まり、更に誘導網１６によって細断装置２０の入口２２に誘導される。入口２２に誘導された越前クラゲは細断装置２０の回転刃によって細片に切断され、切断された細片が放出口２３から放出される。
【００３４】
魚礁５０は上方に開口部５１が設けられていると共に、魚礁５０は越前クラゲの細片を餌とする魚が棲息するに好適な場所となるように、例えば、小魚が大きな魚におそわれたときは隠れ場となり、流れの速いときには休息場となるように工夫された無数の隠れ家（孔等）５４が魚礁５０の内側面、外側面、上面の各表面に設けられている。なお、海に住む魚の中で越前クラゲを食べる魚が意外と多いことが知られている。例えば、昔から、鯛の釣り餌として越前クラゲが使用されていることが知られている。また、マンボウがクラゲをたらふく食べることも知られている。また、タラの胃袋を調べても沢山のクラゲが出てくることも知られている。また、カワハギは普段は貝類を食べているが、ある時期越前クラゲの傘の下に住み着いて、時々越前クラゲを突いて食べている姿も観察されている。
【００３５】
以上に述べたように、越前クラゲを餌として食べる魚は以外と多いことから、そのような魚の魚礁を創り、餌として越前クラゲの細片を供給すれば良好な魚礁として利用できるという効果が得られる。又、ウミガメ（魚ではないが）もクラゲを食べることが知られているので、ウミガメの保護にも役立つという効果もある。
【００３６】
＜実施形態３＞
実施形態３は実施形態１を利用した別の利用方法（又は、システム）である。図１０、図１１はこの利用システムを説明するための図である。ズワイガニ（産地により、越前ガニ又はマツバガニとも言う）は越前クラゲを餌として食べることが報告されている。また、越前クラゲは時期（誕生から１年位）が来ると死んでしまい、海底に沈んでしまう。海底に沈んだ越前クラゲは分解に１０日以上の時間がかかるため、流されて深海に運ばれるものもある。深海に運ばれた越前クラゲは深海に住む生物（蟹など）に食べられ、分解されてしまう。しかし、このような自然の流れに任せていたのでは越前クラゲをズワイガニの餌として十分な量を供給することはできない。又、ズワイガニは成長段階、雌雄によって住む海域が異なる。資源保護の観点から雌の保護が重要であり、雌は水深２５０ｍの海域に集団で生息しているという生態的特徴から、その海域の一部をコンクリートブロックで囲い、物理的に底引き網の操業ができない保護海域８０が設けられている。例えば、福井県の保護海域８０は水深２５０ｍの線に沿って所定の位置に設けられている。そこで、実施形態３では、越前クラゲの細片を保護海域に生息しているズワイガニに餌として供給する方法又はシステムについて説明する。
【００３７】
図１０は越前クラゲの細片を運搬用の籠６０の中に貯留するステップを示し、図１１はズワイガニの保護海域８０に運搬し、放出するステップを示す。図１０において、細断装置２０（４０）の放出口４３と籠６０の開口６１とを接続するホース６３が放出口４３に接続されている。ホース６３の解放端には接続手段６４が設けられ、開口６１と接脱可能に構成されている。また、接続手段６４には接続を切り離した状態でその位置が容易に確認できるように浮標６２がロープ６２ａによって結ばれている。さらに、ホース６３を長くして開口６１と接続手段６４の接脱作業が海面上で可能となるようにしてもよい。また、保護海域８０に到着した際に籠６０から巨大クラゲの細片を放出するために籠６０を倒立した状態に保持する。このために、籠６０の底部と頂部には後述するフックを係止する係止手段６５，６６を設けている。
【００３８】
一方、図１１において、籠６０を運搬する漁船７０は、海中で籠６０を昇降させるウインチ７１、ＧＰＳ衛生又は地上電波搭からの位置情報を受信するアンテナ７５、籠６０の位置を確認するための超音波送受信機７７、これらを制御するコントローラ７９を具備している。ウインチ７１に使用するロープ７２は保護海域８０の海底近くまで達することができるように２５０ｍの長さがあり、また籠６０を正立状態で保持できるようにロープ７２の先端部分にフック６６ａが設けられ、更に、倒立状態で保持できるように分岐したロープ７２ａの先端にフック６５ａが設けられている。また、フック６６ａの根本部分にフックの開き操作を可能にする装置７３が設けられており、更に装置７３には超音波受信機（図示省略）が設けられている。また、コントローラ７９のメモリには保護海域８０の３次元の位置データ（海底の位置と水深のデータ）が記録されている。
【００３９】
実施形態３は以上のシステム構成により、以下のように機能する。ステップ１（図１０）では、予め、籠６０を接続ホース６３の開放口と接続手段６４と接続して海中（又は海底）に沈めておく。籠６０の中に巨大クラゲの細片が適量貯留したときを見計らって、浮標６２に漁船７０で接近し、ロープ６２ａを巻き上げる。籠６０が水面上に出したときに籠６０の接続手段６４を開口６１から外し、漁船のロープ７２の先端に設けられているフック６６ａに籠の係止手段６６を接続する。同時に、フック６５ａを係止手段６５に接続する。更に、超音波を反射させる反射板７８を籠６０に取り付ける。また、次回の準備のために、接続手段６４に別の新たな空の籠６０を接続して海中に沈めるようにしてもよい。
【００４０】
ステップ２（図１１）では、巨大クラゲの細片を貯留した籠６０を海面近くの適当な水深で正立状態に保持したまま、漁船７０でズワイガニの保護海域の略真上まで低速度で進行する。保護海域８０の海底の位置は予めコントローラ７９のメモリに記録されているので、受信アンテナ７５で受信した信号から漁船の現在位置を求め、メモリに記録されている保護海域８０と比較する。この比較によって保護海域８０の略真上に到達することができる。図１１（Ａ）は、この状態を示す。次に図１１（Ｂ）に示すように、ウインチ７１でロープ７２を延長させながら、超音波送受信機７７から超音波を送信し、反射板７８からの反射波を受信して籠６０の方向（角度）と籠までの距離を求め、籠６０の水平位置と深さを算出する。これによって、保護海域８０の海底の位置と籠６０までの水平位置と水深の偏差の距離が求められる。水平距離の偏差及び水深距離の偏差が許容値の範囲になったとき（例えば、保護海域の略真上で流速がほぼゼロの海底の近傍に入ったとき）に、超音波送受信機７７から解放信号を送信すると受信器７３がこの解放信号を受信してフック６６ａを開き、フック６６ａが係止手段６６から外れ、図１１（Ｃ）に示すように、籠６０が倒立状態になり、中身の巨大クラゲの細片が保護海域８０に放出される。保護海域に生息するズワイガニに餌が供給される結果、ズワイガニの数が増え、或いは成長が促進されるという効果が得られる。
【図面の簡単な説明】
【００４１】
【図１】本願発明の実施形態１の全体斜視図を示す。
【図２】実施形態１の上平面図（Ａ）と正面図（Ｂ）を示す
【図３】細断装置２０の実施例１を示す。（Ａ）は正面図を示し、（Ｂ）は下から見た平面図を示し、（Ｃ）は側面図を示す。
【図４】回転刃２４の実施例１を示す。（Ａ）は全体の斜視図を示し、（Ｂ）は正面図、（Ｃ）は断面側面図を示す。
【図５】回転刃の実施例２を示す。（Ａ）は回転刃の正面図で、（Ｂ）は断面側面図を示す。
【図６】回転駆動装置２７の実施例を示す。
【図７】細断装置２０の実施例２を示す。（Ａ）は上から見た平面図で、（Ｂ）は正面図、（Ｃ）は側面図を示す。
【図８】回転刃４４，４５の詳細図を示す。（Ａ）は上から見た平面図、（Ｂ）は正面図、（Ｃ）は下から見た断面平面図を示す。
【図９】実施形態１の細断装置を利用した実施形態２を示す。
【図１０】越前クラゲの細片を運搬用の籠６０の中に貯留するステップを示す。
【図１１】ズワイガニの保護海域に運搬し、放出するステップを示す。
【符号の説明】
【００４２】
１１          ガイド網
１４          ガイド網両端固定手段
１６          誘導網
１７、１８    固定板
２０          細断装置（実施例１）
２１、４１    カバー
２２、４２    入口
２３、４３    放出口
２４          回転刃（実施例１）
２５          回転軸
２７、２８    回転駆動装置
３０          回転刃（実施例２）
３３          羽根
３４          固定板
４０          細断装置（実施例２）
４４，４５    回転刃
４６、４７    回転駆動装置
５０          魚礁
５３          ガイドホース
５４          隠れ孔
６０          籠（巨大クラゲの細片を容れる容器）
６２          浮標
６３          接続ホース
６４          接続手段
６５、６６    係止手段
７０          漁船
７１          ウインチ
７２          ロープ
７３          受信器
７５          受信アンテナ
７７          超音波送受信機
７８          超音波反射板
７９          コントローラ
８０          保護海域
【図１】
2010161932.tif 000003
【図２】
2010161932.tif 000004
【図３】
2010161932.tif 000005
【図４】
2010161932.tif 000006
【図５】
2010161932.tif 000007
【図６】
2010161932.tif 000008
【図７】
2010161932.tif 000009
【図８】
2010161932.tif 000010
【図９】
2010161932.tif 000011
【図１０】
2010161932.tif 000012
【図１１】
2010161932.tif 000013